(57)【特許請求の範囲】
【請求項１】
ケーシング（１）と、上記ケーシング（１）内に配置され、前面熱交換部（６）と背面熱交換部（７）とを有する逆Ｊ字状または逆Ｕ字状の熱交換器（４）と、上記ケーシング（１）内の上記熱交換器（４）の上流側に配置されたフィルタ（５,７５,１０５）とを備えた空気調和機の室内ユニットにおいて、
上記フィルタ（５,７５,１０５）の上部は、背面側の先端（１３）が、上記熱交換器（４）の上端よりも下方に位置するように屈曲し、
上記フィルタ（５,７５,１０５）を所定の位置に案内するガイド（１１,１２,３２）を備え、
上記フィルタ（５,７５,１０５）の背面側の下方には、上記フィルタ（５,７５,１０５）の背面側に付着したゴミが落下するのを防止するための凹部（７３）および凸部（７４）が形成されていることを特徴とする空気調和機の室内ユニット。
【請求項２】
請求項１に記載の空気調和機の室内ユニットにおいて、
上記フィルタ（５,７５,１０５）は、上記背面熱交換部（７）の背面に略平行に対向する背面部（５ａ,５５ａ,７５ａ）を有することを特徴とする空気調和機の室内ユニット。
【請求項３】
請求項１に記載の空気調和機の室内ユニットにおいて、
上記ガイド（１２,３２）は、上記ケーシング（１）に設けられ、上記背面部（５ａ,５５ａ,７５ａ）を案内することを特徴とする空気調和機の室内ユニット。
【請求項４】
請求項１に記載の空気調和機の室内ユニットにおいて、
上記ケーシング（１）は、前面側の前面グリル（２）と背面側の底フレーム（３）とを有し、上記ガイド（１１,１２,３２）は、上記前面グリル（２）に形成された第１ガイド（１１）と、上記底フレーム（３）に形成された第２ガイド（１２,３２）とを有することを特徴とする空気調和機の室内ユニット。
【請求項５】
請求項１に記載の空気調和機の室内ユニットにおいて、
上記ガイド（３２）に車輪（３１）を設けたことを特徴とする空気調和機の室内ユニット。
【請求項６】
請求項１に記載の空気調和機の室内ユニットにおいて、
上記ガイド（１１,１２,３２）の少なくとも一部が摺動部材からなることを特徴とする空気調和機の室内ユニット。
【請求項７】
請求項１に記載の空気調和機の室内ユニットにおいて、
上記フィルタ（７５）の上部の前面側に取っ手（７１）を設けたことを特徴とする空気調和機の室内ユニット。
【請求項８】
請求項１に記載の空気調和機の室内ユニットにおいて、
上記フィルタ（１０５）は、上記前面熱交換部（６）に対向するように配置される前面側フィルタ（４５）と、上記背面熱交換部（７）に対向するように配置され、上記前面側フィルタ（４５）と別体の背面側フィルタ（５５）とで構成されていることを特徴とする空気調和機の室内ユニット。
【発明の詳細な説明】
【０００１】
【発明の属する技術分野】
本発明は空気調和機の室内ユニットに関する。
【０００２】
【従来の技術】
従来、空気調和機の室内ユニットとしては、図２に示すように、前面グリル２２と底フレーム２３とを有するケーシング２１と、上記ケーシング２１内に配置され、逆Ｊ字状に屈曲した熱交換器２４と、上記ケーシング２１内の熱交換器２４の上流側に配置されたフィルタ２５とを備えたものがある。また、上記熱交換器２４は、前面側の前面熱交換部２６と、背面側の背面熱交換部２７とからなる。上記フィルタ２５は、前面グリル２２の下端近傍から前面熱交換部２６に沿って上方に延び、さらに前面熱交換部２６の上端側から背面側に向かって水平方向に延びている。
【０００３】
上記構成の空気調和機の室内ユニットでは、運転時、ファン２８により前面側および上面側から室内空気を吸い込んで、その吸い込んだ室内空気の塵や埃等をフィルタ２５により除去した後、熱交換器２４を介して前面グリル２２の下側に設けられた吹出口２９から室内に吹き出す。
【０００４】
【発明が解決しようとする課題】
ところで、上記空気調和機の室内ユニットでは、前面熱交換部２６の熱交換処理面積に対するフィルタ２５の面積よりも背面熱交換部２７の熱交換処理面積に対するフィルタ２５の水平部分２５ａの面積が小さいため、背面熱交換部２７に対するフィルタ２５の水平部分２５ａに塵や埃等がたまりやすく、フィルタ２５を通る室内空気の圧力損失が増大して、熱交換効率が低下し、省エネルギー化に反するという問題がある。また、上記フィルタ２５が詰まりやすいので、フィルタのメンテナンスを頻繁に行う必要があるという問題もある。
【０００５】
そこで、本発明の目的は、効率低下を防止でき、フィルタのメンテナンスの回数を少なくできる空気調和機の室内ユニットを提供することにある。
【０００６】
【課題を解決するための手段】
上記目的を達成するため、本発明の空気調和機の室内ユニットは、ケーシングと、上記ケーシング内に配置され、前面熱交換部と背面熱交換部とを有する逆Ｊ字状または逆Ｕ字状の熱交換器と、上記ケーシング内の上記熱交換器の上流側に配置されたフィルタとを備えた空気調和機の室内ユニットにおいて、上記フィルタの上部は、背面側の先端が、上記熱交換器の上端よりも下方に位置するように屈曲し、上記フィルタの背面側の下方には、上記フィルタの背面側に付着したゴミが落下するのを防止するための凹部および凸部が形成されていることを特徴としている。
【０００７】
上記構成の空気調和機の室内ユニットによれば、運転時、上記ケーシングの前面側と上面側から吸い込まれた室内空気は、上記フィルタで塵や埃等を除去した後、逆J字状または逆Ｕ字状に屈曲した熱交換器の前面熱交換部,背面熱交換部を介して室内に吹き出す。このとき、上記フィルタの上部は、背面側の先端が熱交換器の上端よりも下方に位置するように屈曲していることによって、背面熱交換部の上流側では背面熱交換部に対応するフィルタの処理面積が従来に比べて増加するので、フィルタに塵や埃等が詰まりにくい。したがって、上記ケーシング内に吸い込まれる室内空気の圧力損失が低減し、効率低下を防止できる。また、従来よりも塵や埃等がフィルタに詰まりにくいので、フィルタのメンテナンスの回数を少なくすることができる。
【０００８】
また、上記フィルタをガイドで案内するので、所定の位置にフィルタを容易に移動させることができる。
【０００９】
また、上記フィルタの背面側の下方に形成された凹部および凸部によって、フィルタの背面側に付着した塵や埃等のゴミを保持できるので、フィルタの引出時において、塵や埃などのゴミが落下するのを防止できる。
【００１０】
また、一実施形態の空気調和機の室内ユニットは、上記フィルタは、上記背面熱交換部の背面に略平行に対向する背面部を有することを特徴としている。
【００１１】
上記実施形態の空気調和機の室外ユニットによれば、上記フィルタが背面熱交換部の背面に略平行に対向する背面部を有することによって、背面熱交換部の上流側では背面熱交換部に対するフィルタの背面部の処理面積が従来に比べていっそう増加するので、フィルタの背面部に塵や埃等がより詰まりにくくなる。その結果、上記ケーシング内に吸い込まれる室内空気の圧力損失がより低減し、効率低下をより確実に防止できる。また、従来よりもフィルタに塵や埃等がより詰まりにくいので、フィルタのメンテナンスの回数をより少なくすることができる。
【００１２】
また、一実施形態の空気調和機の室内ユニットは、上記ガイドは、上記ケーシングに設けられ、上記背面部を案内することを特徴としている。
【００１３】
上記実施形態の空気調和機の室外ユニットによれば、上記ケーシングに設けられたガイドがフィルタの背面部を案内するので、背面熱交換部の背面に略平行に対向するように背面熱交換部の背面側にフィルタを保持することができる。また、上記ガイドがフィルタの背面部を案内するので、そのフィルタの背面部が背面熱交換部の背面に略平行に対向するようにフィルタを容易に移動させることができる。
【００１４】
また、一実施形態の空気調和機の室内ユニットは、上記ケーシングは、前面側の前面グリルと背面側の底フレームとを有し、上記ガイドは、上記前面グリルに形成された第１ガイドと、上記底フレームに形成された第２ガイドとを有することを特徴としている。
【００１５】
上記実施形態の空気調和機の室内ユニットによれば、上記前面グリルに形成された第１ガイドと底フレームに形成された第２ガイドとでガイドを構成することによって、第１ガイドと第２ガイドとでフィルタを前面熱交換部から背面熱交換部に沿って案内して、フィルタを背面熱交換部の上流側で下方に案内できる。
【００１６】
また、一実施形態の空気調和機の室内ユニットは、上記ガイドに車輪を設けたことを特徴としている。
【００１７】
上記実施形態の空気調和機の室外ユニットによれば、上記ガイドに車輪を設けているから、フィルタの着脱時において、ガイドとフィルタとの摩擦抵抗が減少し、ガイドによってフィルタがよりスームズに案内される。その結果、上記フィルタの取り付けおよび取り外し作業が簡単になって、フィルタの着脱時の作業性を高めることができる。
【００１８】
また、一実施形態の空気調和機の室内ユニットは、上記ガイドの少なくとも一部が摺動部材からなることを特徴としている。
【００１９】
上記実施形態の空気調和機の室外ユニットによれば、上記ガイドの少なくとも一部が摺動部材からなっているから、フィルタの着脱時において、ガイドとフィルタとの摩擦抵抗が減少し、ガイドによってフィルタがよりスームズに案内される。その結果、上記フィルタの取り付けおよび取り外し作業が簡単になって、フィルタの着脱時の作業性を向上できる。
【００２０】
また、一実施形態の空気調和機の室内ユニットは、上記フィルタの上部の前面側に取っ手を設けたことを特徴としている。
【００２１】
上記実施形態の空気調和機の室外ユニットによれば、上記フィルタの上部の前面側に取っ手を設けているから、取っ手でフィルタを操作することにより、フィルタに力を加え易くなり、フィルタの着脱時の操作性が向上する。したがって、上記フィルタを、前面側から背面側に向かって容易に挿入することができる。
【００２２】
また、一実施形態の空気調和機の室外ユニットは、上記フィルタは、上記前面熱交換部に対向するように配置される前面側フィルタと、上記背面熱交換部に対向するように配置され、上記前面側フィルタと別体の背面側フィルタとで構成されていることを特徴としている。
【００２３】
上記実施形態の空気調和機の室外ユニットによれば、別体の上記前面側フィルタ,背面側フィルタでフィルタを構成しているから、背面側フィルタに力を加え易くなり、背面側フィルタの着脱時の操作性が向上する。したがって、上記背面側フィルタを前面側から背面側に向って容易に挿入できる。
【００２４】
【発明の実施の形態】
以下、本発明の空気調和機の室内ユニットを図示の実施の形態により詳細に説明する。
【００２５】
図１は本発明の実施の一形態の空気調和機の室内ユニットの概略断面図である。この空気調和機の室内ユニットは、図１に示すように、ケーシング１と、上記ケーシング１内に配置され、逆Ｊ字状に屈曲した熱交換器４と、上記ケーシング１内の熱交換器４の上流側に配置されたフィルタ５と、上記熱交換器４の下流側に配置されたファン８とを備えている。上記熱交換器４は前面側の前面熱交換部６と背面側の背面熱交換部７とを有し、ケーシング１は前面側の前面グリル２と背面側の底フレーム３とを有する。この前面グリル２には、前面側および上面側に図示しない開口を設けている。また、上記前面グリル２の前面側には、取り外し可能なフロントパネル１０を取り付ける。
【００２６】
また、上記フィルタ５の上部は、背面側の先端１３が熱交換器４の上端よりも下方に位置するように屈曲している。このフィルタ５は、背面熱交換部７の背面に略平行に対向する背面部５ａを有している。また、上記フィルタ５は、前面グリル２に形成された断面凹状の溝である第１ガイド１１と、底フレーム３に形成された断面コ字状の第２ガイド１２とで案内される。具体的には、上記第１ガイド１１は、前面グリル２の下端近傍から前面熱交換部６に沿ってフィルタ５を上方に案内し、さらに、第２ガイド１２は、前面熱交換部６上端近傍から背面熱交換部７に沿ってフィルタ５を下方に案内する。この第２ガイド１２により、背面熱交換部７の背面に略平行にフィルタ５の背面部５ａが対向するように、背面熱交換部７の背面側にフィルタ５を保持することができると共に、フィルタ５を容易に移動させることができる。
【００２７】
上記構成の空気調和機の室内ユニットでは、運転時、ファン８により前面側および上面側から前面グリル２を介して室内空気を吸い込んで、吸い込んだ室内空気の塵や埃等をフィルタ５で除去した後、熱交換器４の前面熱交換部６,背面熱交換部７を介して前面グリル２の下側に設けられた吹出口９から室内に吹き出す。このとき、上記フィルタ５の上部は、背面側の先端１３が熱交換器４の上端よりも下方に位置するように屈曲していることによって、背面熱交換部７の熱交換処理面積に対するフィルタ５の背面部５ａの処理面積が従来に比べて増加するので、フィルタ５の背面部５ａに塵や埃等が詰まりにくい。その結果、上記ケーシング１内に吸い込まれる室内空気の圧力損失が低減し、効率低下を防止できる。また、従来よりも塵や埃等がフィルタ５に詰まりにくいので、フィルタ５のメンテナンスの回数を少なくすることができる。
【００２８】
また、上記前面グリル２に第１ガイド１１を形成すると共に、底フレーム３に第２ガイド１２を形成しているので、第１ガイド１１と第２ガイド１２とでフィルタ５を前面熱交換部６から背面熱交換部７に沿って案内して、フィルタ５を背面熱交換部７の上流側で下方に案内できる。
【００２９】
上記実施の形態では、熱交換器４は逆Ｊ字状であったが、逆Ｕ字状であってもよい。
【００３０】
また、上記実施形態では、上記フィルタ５の背面部５ａは背面熱交換部７の背面に略平行に対向していたが、背面部５ａは背面熱交換部７の背面に略平行に対向していなくてもよい。要は、上記フィルタ５の上部が屈曲して、フィルタ５の背面側の先端１３が熱交換器４の上端より下方に位置すればよい。
【００３１】
また、上記実施の形態では、前面グリル２に形成された第１ガイド１１と底フレーム３に形成された第２ガイド１２とによって、フィルタ５を案内するガイドを構成したが、前面熱交換部６および背面熱交換部７の上端近傍に形成され、前面熱交換部６の上端と背面熱交換部７の上端との間の空気の流れを遮断するシール部材にガイドを形成してもよい。
【００３２】
また、上記第１,第２ガイド１１,１２は、例えば棒状の部材や板状の部材等であってもよい。
【００３３】
また、上記第１,第２ガイド１１,１２の少なくとも一部を摺動部材で形成してもよい。この場合、上記フィルタ５の着脱時において、フィルタ５と第１,第２ガイド１１,１２との摩擦抵抗が小さくなる。したがって、上記フィルタ５の取り付けおよび取り外し作業が容易になり、作業性を高めることができる。
【００３４】
また、上記実施の形態では、底フレーム３に第２ガイド１２を形成していたが、図３に示すように、底フレーム３に、車輪３１を有する第２ガイド３２を形成してもよい。この場合、上記フィルタ５の着脱時において、フィルタ５の背面部５ａと第２ガイド３２との摩擦抵抗が減少して、フィルタ５の背面部５ａが第２ガイド３２でスームズに案内される。その結果、上記フィルタ５の取り付けおよび取り外し作業が容易になり、作業性が向上する。
【００３５】
図４に、本発明の他の実施の形態の空気調和機の室内ユニットの概略断面図を示している。この空気調和機の室内ユニットは、図４に示すように、フィルタ１０５のみが、図１に示す空気調和機の室内ユニットと異なる。したがって、図１に示す実施の形態の空気調和機の室内ユニットと同一構成部は同一参照番号を付して説明を省略する。
【００３６】
上記フィルタ１０５は、前面熱交換部６に対向するように配置される前面側フィルタ４５と、背面熱交換部７に対向するように配置される背面側フィルタ５５とで構成されている。この背面側フィルタ５５の上部は、背面側の先端６３が熱交換器４の上端よりも下方に位置するように屈曲している。この背面側フィルタ５５は、背面熱交換部７の背面に略平行に対向する背面部５５ａを有して、第１ガイド１１と第２ガイド１２とで案内される。上記背面側フィルタ５５の前面側の端部５５ｂと、前面側フィルタ４５の背面側の端部４５ａとが重なっている。
【００３７】
上記構成の空気調和機の室内ユニットによれば、別体の上記前面側フィルタ４５と背面側フィルタ５５とでフィルタ１０５を構成しているから、前面側フィルタ４５,背面側フィルタ５５の各寸法は図１のフィルタ５に比べて小さくなっている。したがって、上記前面側フィルタ４５および背面側フィルタ５５は扱い易く、前面側フィルタ４５,背面側フィルタ５５の着脱時の操作性が向上する。つまり、上記前面側フィルタ４５,背面側フィルタ５５の着脱が簡単になる。例えば、上記背面側フィルタ５５を取り付ける場合、背面側フィルタ５５に力を加わえ易く、背面側フィルタ５５を前面側から背面側に向って容易に挿入することができる。
【００３８】
また、上記フィルタ１０５の代わりに、図５に示すフィルタ７５を用いてもよい。このフィルタ７５は、図５に示すように、上部の前面側に取っ手７１を有していると共に、背面熱交換部７の背面に略平行に対向する背面部７５ａを有している。そして、上記フィルタ７５の背面側の先端部７２には、凹部７３と突起７４を形成している。
【００３９】
上記フィルタ７５を有する空気調和機に室内ユニットは、フィルタ７５の上部の前面側に取っ手７１を設けているから、取っ手７１でフィルタ７５を操作することができて、フィルタ７５に力を容易に加えることができる。その結果、上記フィルタ７５の着脱時の操作性が高く、フィルタ７５を前面側から背面側に向けて容易に挿入できる。また、上記フィルタ７５は一体であるから、図４の室内ユニットより製造コストを低減できる。
【００４０】
また、上記フィルタ７５の背面側に付着した塵や埃等のゴミがフィルタ７５に添って落下しようとしても、塵や埃等のゴミが凹部７３と突起７４で保持される。したがって、上記フィルタ７５の引出時において、塵や埃などのゴミが落下するのを防止できる。
【００４１】
【発明の効果】
以上より明らかなように、本発明の空気調和機の室内ユニットは、フィルタの上部は、背面側の先端が熱交換器の上端よりも下方に位置するように屈曲していることによって、背面熱交換部の上流側では背面熱交換部に対応するフィルタの処理面積が従来に比べて増加するので、フィルタに塵や埃等が詰まりにくい。したがって、ケーシング内に吸い込まれる室内空気の圧力損失が低減し、効率低下を防止できる。また、従来よりも塵や埃等がフィルタに詰まりにくいので、フィルタのメンテナンスの回数を少なくすることができる。
【００４２】
また、上記フィルタをガイドで案内するので、所定の位置にフィルタを容易に移動させることができる。
【００４３】
また、上記フィルタの背面側の下方に形成された凹部および凸部によって、フィルタの背面側に付着した塵や埃等のゴミを保持できるので、フィルタの引出時において、塵や埃などのゴミが落下するのを防止できる。
【００４４】
また、一実施形態の空気調和機の室内ユニットは、上記フィルタが背面熱交換部の背面に略平行に対向する背面部を有することによって、背面熱交換部の上流側では背面熱交換部に対するフィルタの背面部の処理面積が従来に比べていっそう増加するので、フィルタの背面部に塵や埃等がより詰まりにくくなる。その結果、上記ケーシング内に吸い込まれる室内空気の圧力損失がより低減し、効率低下をより確実に防止できる。また、従来よりもフィルタに塵や埃等がより詰まりにくいので、フィルタのメンテナンスの回数をより少なくすることができる。
【００４５】
また、一実施形態の空気調和機の室内ユニットは、上記ケーシングに設けられたガイドがフィルタの背面部を案内するので、背面熱交換部の背面に略平行に対向するように背面熱交換部の背面側にフィルタを保持することができる。
【００４６】
また、上記ガイドがフィルタの背面部を案内するので、そのフィルタの背面部が背面熱交換部の背面に略平行に対向するようにフィルタを容易に移動させることができる。
【００４７】
また、一実施形態の空気調和機の室内ユニットは、前面グリルに形成された第１ガイドと底フレームに形成された第２ガイドとでガイドを構成することによって、第１ガイドと第２ガイドとでフィルタを前面熱交換部から背面熱交換部に沿って案内して、フィルタを背面熱交換部の上流側で下方に案内できる。
【００４８】
また、一実施形態の空気調和機の室内ユニットは、上記ガイドに車輪を設けているから、フィルタの着脱時において、ガイドとフィルタとの摩擦抵抗が減少し、ガイドによってフィルタがよりスームズに案内される。その結果、上記フィルタの取り付けおよび取り外し作業が簡単になって、フィルタの着脱時の作業性を高めることができる。
【００４９】
また、一実施形態の空気調和機の室内ユニットは、上記ガイドの少なくとも一部が摺動部材からなっているから、フィルタの着脱時において、ガイドとフィルタとの摩擦抵抗が減少し、ガイドによってフィルタがよりスームズに案内される。その結果、上記フィルタの取り付けおよび取り外し作業が簡単になって、フィルタの着脱時の作業性を向上できる。
【００５０】
また、一実施形態の空気調和機の室内ユニットは、上記フィルタの上部の前面側に取っ手を設けているから、取っ手でフィルタを操作することにより、フィルタに力を加え易くなり、フィルタの着脱時の操作性が向上する。したがって、上記フィルタを、前面側から背面側に向かって容易に挿入することができる。
【００５１】
また、一実施形態の空気調和機の室外ユニットは、別体の前面側フィルタ,背面側フィルタでフィルタを構成しているから、背面側フィルタに力を加え易くなり、背面側フィルタの着脱時の操作性が向上する。したがって、上記背面側フィルタを前面側から背面側に向って容易に挿入できる。
【図面の簡単な説明】
【図１】図１は本発明の実施の一形態の空気調和機の室内ユニットの概略断面図である。
【図２】図２は従来の空気調和機の室内ユニットの概略断面図である。
【図３】図３は上記本発明の実施の一形態の空気調和機の室外ユニットの変形例の概略断面図である。
【図４】図４は本発明の他の実施の形態の空気調和機の室内ユニットの概略断面図である。
【図５】図５は本発明のさらに他の実施の形態の空気調和機の室内ユニットの概略断面図である。
【符号の説明】
１…ケーシング
２…前面グリル
３…底フレーム
４…熱交換器
５,７５,１０５…フィルタ
５ａ,５５ａ,７５ａ…背面部
６…前面熱交換部
７…背面熱交換部
１３…先端
１１…第１ガイド
１２,３２…第２ガイド
３１…車輪
４５…前面側フィルタ
５５…背面側フィルタ
７１…取っ手
７２…先端部
７３…凹部
７４…突起
【図１】
0004770101.tif 000002
【図２】
0004770101.tif 000003
【図３】
0004770101.tif 000004
【図４】
0004770101.tif 000005
【図５】
0004770101.tif 000006